(57)【要約】【課題】  パチンコ遊技機の釘間幅を計測する板ゲージは遊技釘間に差込み遊技釘間で上下させて計測するが板ゲージの計測部が滑らかすぎて板ゲージを上下させたときに発生する動作抵抗の圧力、変化、量などが極めて微小であったために計測に誤差が発生して狙いの図柄表示装置の変動回数と大きく違う結果となり、パチンコ店舗と遊技客の利益の調和が図りにくかったり、遊技機各台の変動回数が不均衡であったりして遊技客に不公平感や不満を与えていた。【解決手段】  板ゲージを使っての計測時に動作抵抗の圧力、変化、量などを感じ取り易くするために計測部に凹凸部を設けて板ゲージを遊技釘間で上下させたときに軽い振動が発生するようにした。振動や動作抵抗の圧力、変化、量などが減少したときがゲージ幅であり、従来の板ゲージより正確な計測ができるようになった。これにより店舗と遊技客の利益の調和が図りやすくなり、遊技客が抱いていた遊技機各台の変動回数不均衡に対する不満や不公平感を解消することができる。【選択図】図1
2010082291.tif 000002
【特許請求の範囲】
【請求項１】
パチンコ遊技機の遊技盤面に植設された遊技釘と遊技釘の間隔を計測する板ゲージにあって該板ゲージの計測部に切り欠き部を1箇所以上設けたことを特徴とする釘間幅計測板ゲージ。
【請求項２】
パチンコ遊技機の遊技盤面に植設された遊技釘と遊技釘の間隔を計測する板ゲージにあって該板ゲージの両片に寸法幅の異なる計測部を設け、それぞれの計測部に請求項1と同じく、切り欠き部を1箇所以上設けたことを特徴とする釘間幅計測板ゲージ。
【請求項３】
パチンコ遊技機の遊技盤面に植設された遊技釘と遊技釘の間隔を計測する板ゲージにあって該板ゲージの両片に同一寸法幅の計測部を設け、計測部の1片のみに請求項1と同じく切り欠き部を1箇所以上設けた釘間幅計測板ゲージ。
【発明の詳細な説明】
【技術分野】
【０００１】
本発明はパチンコ遊技機の遊技盤面に植設された遊技釘と遊技釘の間隔幅を計測する板ゲージに関する。
【背景技術】
【０００２】
パチンコ遊技店は営業終了時に集計された各パチンコ台の情報を基に閉店から開店までの間に遊技客と店舗の利益の調和を試算して各遊技機盤面に植設された遊技釘間の間隔の調整をおこなう。間隔の計測に使われる用具としてデジタル計測器及び球ゲージ及び板ゲージ等がある。デジタル計測器及び球ゲージは主に2本の遊技釘間に計測部を入れ遊技盤面に接面させて使用するのに対して、板ゲージは遊技盤面より突出した2本の遊技釘の頭の裏面に接面させた状態で上下に動かしてその時に発生する微妙な動作抵抗の圧力、変化、量を感じ取って計測している。
【０００３】
パチンコ遊技機の遊技盤面に植設された遊技釘の釘間計測用具としての板ゲージは広く流通し使用されているものだが特許としての文献を探し当てることはできない。板ゲージを記述したものとして特許文献1がある又、用具販社のカタログとして非特許文献1がある。
【特許文献１】特許出願2001−254684  パチンコ機
【非特許文献１】インターネット＜http://www.ohirasyoukai.com/＞カタログダウンロード検索、ハンマー・工具・傾斜測定器カタログ検索、板ゲージ。
【発明の開示】
【発明が解決しようとする課題】
【０００４】
遊技客と店舗の利益の調和を試算して行われる釘調整のひとつとして始動口へ入賞する遊技球の個数の調整がある。入賞個数は1分間の平均入賞個数で１０分の1位まで求めた数字を参考に入賞個数の調整が行われている。
【０００５】
現在はデジタル計測器が開発されて遊技釘間幅は100分の1位まで計測できるようになったがデジタル計測器が高価なために今でも釘調整者の多くは簡便な板ゲージや球ゲージを常用して計測している。
【０００６】
板ゲージの計測部の寸法幅は遊技球の球径と同じ11ｍｍを基準に17ｍｍ程度までの範囲で段階的に数十枚に分けられており狙いの入賞個数に合う板ゲージを選択し計測部の寸法に合うように遊技釘を拡大或いは縮小して調整する。
【０００７】
板ゲージを使っての計測方法はいくつかあるが、最終的に計測する遊技釘間に板ゲージの計測部を差込み遊技釘間で板ゲージの計測部を上下に動かし、その時に発生する遊技釘の微妙な動作抵抗の圧力、変化、量などを感じ取って釘幅が板ゲージの寸法幅と合致しているかを確認する。しかし、動作抵抗の圧力、変化、量などは極めて微小で計測する釘調整者の体調などで誤差が発生して図柄表示装置の変動回数が狙いの変動回数と大きく違う結果になるなどの課題あった。
【０００８】
前記する誤差によりパチンコ店舗と遊技客との利益の調和が図りにくかったり、パチンコ店舗に設置された遊技機の図柄変動装置の1分間の変動回数が各台不均衡であったりして遊技客に不公平感や不満を与えていた。
【課題を解決するための手段】
【０００９】
板ゲージを使っての計測時に発生する計測誤差は動作抵抗の圧力、変化、量などが微小なためで微小の原因は板ゲージの計測面が滑らかに作られていることによるもので計測時の上下動作も滑らかで微小な抵抗感覚しか得られないためである。
【００１０】
計測時の動作抵抗の圧力、変化、量など感じ取り易くするために計測部の一部を切り欠き、凹凸部を設けた。凸部が板ゲージの寸法幅である。凹凸のある板ゲージを遊技釘間で上下に動かすことにより釘と接する凹凸部から軽い振動が発生するようにした。釘調整の際に振動や動作抵抗の圧力変化が減少した時が寸法幅である。
【発明の効果】
【００１１】
板ゲージに凹凸を設けたことにより従来の滑らかな板ゲージより大きな動作抵抗が得られるために従来の板ゲージより正確に計測することできる。これにより店舗に設置された各遊技機の変動回数の不均衡を是正することができ店舗と遊技客の利益の調和がとり易くなり、遊技客が抱いていた変動回数不均衡に対する不公平感、不満を解消することができる。
【発明を実施するための最良の形態】
【００１２】
以下本発明を実施するための最良の形態を図面に基づき説明する。本発明に使用する金属は錆び難く磨耗しにくい金属がよく、特にステンレス等が良い。なお各図間において同一符号は同一又は相当部分を示す。
【００１３】
図3(a)は従来から存在する板ゲージ計測部を正面から見た概観図である。4が計測部の先端で3が計測部である。この板ゲージの場合、計測部3の両端までの幅は11.5ｍｍであることを示す刻印5が摘み持ち部6と計測部3の境に印してある。
【００１４】
図3(b)は図3(a)板ゲージの斜視図である。計測部3と摘み持ち部6の境界部3aの位置で約60度折り曲げてある。境界部3aからの摘み持ち部6の長さは60ｍｍから100ｍｍ程度まで使い勝手を考慮した長さである。計測部3の幅は遊技球の球径11ｍｍを基準に17ｍｍ程度まで順次拡幅した板ゲージが存在する。計測部の板の厚さは1ｍｍ以下である。
【００１５】
この板ゲージの使用例はいくつかあるが、使用例の1つに図4で示すように遊技盤面12に植設された２本の遊技釘13の釘笠部14の裏面に板ゲージの計測部先端4から差込み釘笠部14の裏面に接面させて上下させることで遊技釘13から発生する計測時の上下動に対する動作抵抗の圧力、変化、量などを感じ取って遊技釘間幅を確認する方法がある。
【００１６】
図1は請求項１の本発明でパチンコ遊技機用凹凸付き釘間幅計測板ゲージである。本発明、図1（a）は板ゲージの計測部3の先端部4より摘み持ち部6方向へ3ｍｍほど入った位置に切り欠き部8を設けた。切り欠き部8の形は凹形でもV形でもU形、その他の形でもよい。切り欠き部8の位置は板ゲージ計測部3の先端部4より摘み持ち部6方向へ2ｍｍの位置でも4ｍｍ又は5ｍｍの位置でもよい。
【００１７】
該板ゲージ切り欠き部8に遊技釘が入り込んでしまうと計測に支障を来たすので切り欠き部の幅は0.5ｍｍから1.5ｍｍ程度でよい。切り欠き部8の奥行きは0.5ｍｍから1ｍｍ程度でよい。切り欠き部8は板ゲージ計測部3の左右どちらか一方に設けても計測部3を成す両端に設けてもよい。
【００１８】
該板ゲージ計測部3に設ける切り欠き部8は図1（b）のように第2切り欠き部9を設けてもよく図1（c）のように第3切り欠き部10を設けてもよい又、それ以上の切り欠き部を設けてもよい。
【００１９】
切り欠き部8と切り欠き部9と切り欠き部10のそれぞれの間隔は1ｍｍ以上あることが望ましい。
【００２０】
寸法幅の記しは印刷による記しでもよい又、板ゲージの両面に寸法幅を記したほうが使い勝手がよい。
【００２１】
該板ゲージの計測部3と摘み持ち部6の境界部3aの折り曲げ角度は20度から、90度までの範囲が望ましい。
【００２２】
該板ゲージ計測部3の板の厚さは1ｍｍ以下にすることで既に流通している板ゲージと計測位置において互換性を保つことができる。
【００２３】
該板ゲージも既に流通している板ゲージと同じく計測部3とは反対片近傍に枢支孔7を設け、図5のように扇の要様式に計測部の寸法幅が違う板ゲージを重合してボルト、ナット16又は、リベット等で纏めることによって使い勝手がよくなる。
【００２４】
図2は請求項2で両片に計測部3を備えた板ゲージ11である。一方の計測部3から他片の計測部3までの長さは80ｍｍから160ｍｍ程度が最も使い勝手がよい。
【００２５】
該板ゲージの切り欠き部8の形容及び切り欠き部の数、境界部3aにおける曲げる角度、寸法刻印などの内容については請求項1の発明を実施するための最良の形態における説明と同じである。
【００２６】
該板ゲージ両片計測部先端4の方向は同一方向でもよいが図6（a）（b）で示すように使用頻度の高い板ゲージ数枚を選択し、摘み持ち部6の中央楕円の枢支孔7aを使い、ボルト、ナット16で重合させて使えるように、摘み持ち部6と計測部3の境界部3aにおいて他片の先端4と逆方向へ向くように曲げてある。
【００２７】
図7は請求項3で両片に計測部を持ち両片が同一の寸法幅でありながら1片にのみ切り欠き部を設けてある。大雑把な従来型計測と、より正確な計測を必要とするか、計測時の判断に応じて使い分けられるようにしたもので、切り欠き部の形や数は請求項1の発明を実施するための最良の形態における説明と同じである。
【図面の簡単な説明】
【００２８】
【図１】本発明で凹型切り欠き部を設けた計測部の正面図である。
【図２】本発明、板の両片に切り欠き部付計測部を持つ板ゲージの斜視図である。
【図３】従来から存在する板ゲージの正面図と斜視図である。
【図４】板ゲージの使用方法を示す図である。
【図５】板ゲージを扇様式に纏めた図である。
【図６】両片に計測部を持つ板ゲージを楕円の枢支孔で纏めて開いた状態の側面図と正面図である。
【図７】請求項3で両片に計測部を持つ板ゲージにあって一片にのみ切り欠き部を設けた板ゲージの斜視図である。
【符号の説明】
【００２９】
1、板ゲージ
2、凹凸付釘間計測板ゲージ
3、計測部
3a、境界部
4、計測部先端
5、寸法刻印
6、摘み持ち部
7、枢支孔
7a、楕円枢支孔
8、切り欠き部
9、第2切り欠き部
10、第3切り欠き部
11、両片板ゲージ
12、遊技盤面
13、遊技釘
14、釘笠部
16、ボルト、ナット
17、平ワッシャ
18、1片切り欠き部付両片板ゲージ
【図１】
2010082291.tif 000003
【図２】
2010082291.tif 000004
【図３】
2010082291.tif 000005
【図４】
2010082291.tif 000006
【図５】
2010082291.tif 000007
【図６】
2010082291.tif 000008
【図７】
2010082291.tif 000009